【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】  管理情報を記憶するメモリ手段に対するデータ転送を非接触で行うための通信手段を備える情報記録媒体に対応した情報記録再生装置であって、
上記情報記録媒体のメモリ手段に記憶されている管理情報が上記メモリ手段のメモリイメージごと書き込まれる内蔵メモリ手段と、
上記情報記録媒体のロード時に、当該情報記録媒体のメモリ手段に記憶されている管理情報を読み出して上記メモリ手段のメモリイメージごと上記内蔵メモリ手段に格納し、上記メモリ手段のメモリイメージを上記内蔵メモリ手段に格納した後は、上記内蔵メモリ手段に格納したメモリイメージにアクセスすることにより読み出される管理情報に基づいて動作制御を行うとともに、上記情報記録媒体のアクセス期間以外の期間中に当該情報記録媒体のメモリ手段への記録を行い、上記内蔵メモリ手段に格納したメモリイメージを上記メモリ手段のメモリイメージと一致させるように変更する制御を行う制御手段とを備える
ことを特徴とする情報記録再生装置。
【請求項２】  上記制御手段は、上記情報記録媒体のアクセス中に当該情報記録媒体のメモリ手段への記録コマンドを受け付けた場合に、上記情報記録媒体のアクセス終了を確認したあと、当該情報記録媒体のメモリ手段への記録を行うとともに、上記内蔵メモリ手段に格納したメモリイメージを上記メモリ手段のメモリイメージと一致させるように変更する制御を行うことを特徴とする請求項１記載の情報記録再生装置。
【請求項３】  管理情報を記憶するメモリ手段に対するデータ転送を非接触で行うための通信手段を備える情報記録媒体に対応した情報記録再生装置の制御方法であって、
上記情報記録媒体のロード時に、当該情報記録媒体のメモリ手段に記憶されている管理情報を読み出して上記メモリ手段のメモリイメージごと上記情報記録再生装置の内蔵メモリ手段に格納し、
上記メモリ手段のメモリイメージを上記内蔵メモリ手段に格納した後は、
上記内蔵メモリ手段に格納したメモリイメージにアクセスすることにより読み出される管理情報に基づいて動作制御を行い、
上記情報記録媒体のアクセス期間以外の期間中に当該情報記録媒体のメモリ手段への記録を行い、上記内蔵メモリ手段に格納したメモリイメージを上記メモリ手段のメモリイメージと一致させるように変更することを特徴とする情報記録再生装置の制御方法。
【請求項４】  上記情報記録媒体のアクセス中に当該情報記録媒体のメモリ手段への記録コマンドを受け付けた場合に、上記記録媒体のアクセス終了を確認したあと、当該情報記録媒体のメモリ手段への記録を行うとともに、上記内蔵メモリ手段に格納したメモリイメージを上記メモリ手段のメモリイメージと一致させるように変更することを特徴とする請求項３記載の情報記録再生装置の制御方法。
【手続補正２】
【補正対象書類名】明細書
【補正対象項目名】００１１
【補正方法】変更
【補正の内容】
【００１１】
従来のテープストリーマでは、テープカセットに搭載された不揮発性メモリへのアクセスをテープへの記録／再生中においても行うことができるようになっていた。
【手続補正３】
【補正対象書類名】明細書
【補正対象項目名】００１３
【補正方法】変更
【補正の内容】
【００１３】
したがって、アンテナとドラムとが離れているとはいえ、テープへの記録／再生中に非接触型メモリとの通信を行うと、アンテナから発生する強力な磁界が磁気／記録再生系の磁界を入力とする部品である磁気ヘッドやロータリートランスに混入し、リードチャンネル系回路から出力されるべき再生信号が乱され、所用のＳ／Ｎ比を確保することができなくなり、後段の磁気記録データ復号回路で正常にデータを復号できず、エラーが頻発することになってしまう。
【手続補正４】
【補正対象書類名】明細書
【補正対象項目名】００１４
【補正方法】変更
【補正の内容】
【００１４】
例えば、８ミリテープを用いた大容量・高速転送レートのテープストリーマ規格「ＡＩＴ−２（Advanced Intelligent Tape）」に準拠したドライブでは、磁気記録／再生系の周波数帯域として１ＭＨｚから６０ＭＨｚの範囲を使用しているのに対し、非接触型メモリの通信に使用する周波数帯域内の周波数１３．５６ＭＨｚを使用しているので、非接触型メモリへの通信時には、磁気ヘッドやロータリートランスで発生する磁界に比べて強力な磁界がアンテナから発生し、この磁界がドラムに設けられた磁気ヘッドやロータリートランスに鎖交による影響を与えやすい状況になっている。
【手続補正５】
【補正対象書類名】明細書
【補正対象項目名】００１６
【補正方法】変更
【補正の内容】
【００１６】
【課題を解決するための手段】  本発明は、管理情報を記憶するメモリ手段に対するデータ転送を非接触で行うための通信手段を備える情報記録媒体に対応した情報記録再生装置であって、上記情報記録媒体のメモリ手段に記憶されている管理情報が上記メモリ手段のメモリイメージごと書き込まれる内蔵メモリ手段と、上記情報記録媒体のロード時に、当該情報記録媒体のメモリ手段に記憶されている管理情報を読み出して上記メモリ手段のメモリイメージごと上記内蔵メモリ手段に格納し、上記メモリ手段のメモリイメージを上記内蔵メモリ手段に格納した後は、上記内蔵メモリ手段に格納したメモリイメージにアクセスすることにより読み出される管理情報に基づいて動作制御を行うとともに、上記情報記録媒体のアクセス期間以外の期間中に当該情報記録媒体のメモリ手段への記録を行い、上記内蔵メモリ手段に格納したメモリイメージを上記メモリ手段のメモリイメージと一致させるように変更する制御を行う制御手段とを備えることを特徴とする。
【手続補正６】
【補正対象書類名】明細書
【補正対象項目名】００１７
【補正方法】変更
【補正の内容】
【００１７】
また、本発明は、管理情報を記憶するメモリ手段に対するデータ転送を非接触で行うための通信手段を備える情報記録媒体に対応した情報記録再生装置の制御方法であって、上記情報記録媒体のロード時に、当該情報記録媒体のメモリ手段に記憶されている管理情報を読み出して上記メモリ手段のメモリイメージごと上記情報記録再生装置の内蔵メモリ手段に格納し、上記メモリ手段のメモリイメージを上記内蔵メモリ手段に格納した後は、上記内蔵メモリ手段に格納したメモリイメージにアクセスすることにより読み出される管理情報に基づいて動作制御を行い、上記情報記録媒体のアクセス期間以外の期間中に当該情報記録媒体のメモリ手段への記録を行い、上記内蔵メモリ手段に格納したメモリイメージを上記メモリ手段のメモリイメージと一致させるように変更することを特徴とする。
【手続補正７】
【補正対象書類名】明細書
【補正対象項目名】００３１
【補正方法】変更
【補正の内容】
【００３１】
そして、後述する図３乃至図５に示すような構成のテープカセット１側では、コマンドデータをアンテナ５で受信することでパワーオン状態となり、コマンドで指示された内容に応じてコントローラ４ｃが動作を行う。例えば書き込みコマンドとともに送信されてきたデータをＥＥＰ−ＲＯＭ４ｄに書き込む。
【手続補正８】
【補正対象書類名】明細書
【補正対象項目名】００３４
【補正方法】変更
【補正の内容】
【００３４】
Ｓ−ＲＡＭ２４，フラッシュＲＯＭ２５には、システムコントローラ１５が各種処理に用いるデータが記憶される。例えばフラッシュＲＯＭ２５には制御に用いる定数等が記憶される。またＳ−ＲＡＭ２４はワークメモリとして用いられたり、リモートメモリチップ４から読み出されたデータ、リモートメモリチップ４に書き込むデータ、テープカセット単位で設定されるモードデータ、各種フラグデータなどの記憶や演算処理などに用いるメモリとされる。なお、Ｓ−ＲＡＭ２４，フラッシュＲＯＭ２５は、システムコントローラ１５を構成するマイクロコンピュータの内部メモリとして構成してもよく、またバッファメモリ２３の領域の一部をワークメモリとして用いる構成としてもよい。
【手続補正９】
【補正対象書類名】明細書
【補正対象項目名】００３５
【補正方法】変更
【補正の内容】
【００３５】
テープストリーマドライブ１０とホストコンピュータ２５との間は、上記のようにＳＣＳＩインターフェース２０を用いて情報の相互伝送が行われるが、システムコントローラ１５に対してはホストコンピュータ４０がＳＣＳＩコマンドを用いて各種の通信を行うことになる。
【手続補正１０】
【補正対象書類名】明細書
【補正対象項目名】００４０
【補正方法】変更
【補正の内容】
【００４０】
リモートメモリチップ４の内部構成を図５に示す。例えばリモートメモリチップ４は半導体ＩＣとして図５に示すようなパワー回路４ａ、ＲＦ処理部４ｂ、コントローラ４ｃ、ＥＥＰ−ＲＯＭ４ｄを有するものとされる。
そして例えばこのようなリモートメモリチップ４がテープカセット１の内部に固定されたプリント基板上にマウントされ、プリント基板上の銅箔部分でアンテナ５を形成する。
【手続補正１１】
【補正対象書類名】明細書
【補正対象項目名】００４７
【補正方法】変更
【補正の内容】
【００４７】
なお、上記ステップＳ３の判定結果がＮＧ、すなわちバッファメモリ２３にダウンロードしたメモリイメージが上記Ｒ−ＭＩＣのメモリイメージと比較して一致しない場合には、リトライ限界を超えたか否かを判定し（ステップＳ６）、リトライ限界内であれば上記ステップＳ２に戻って、再度Ｒ−ＭＩＣのメモリイメージをドライブ内のバッファメモリ２３にダウンロードする。
【手続補正１２】
【補正対象書類名】明細書
【補正対象項目名】００４８
【補正方法】変更
【補正の内容】
【００４８】
また、上記ステップＳ１の判定結果がＮＧ、すなわちＲ−ＭＩＣヘッダが読めない場合には、Ｃ−ＭＩＣのヘッダをチェックし（ステップＳ７）、Ｃ−ＭＩＣヘッダがＯＫであれば、Ｃ−ＭＩＣのメモリイメージをドライブ内のバッファメモリ２３にダウンロードする（ステップＳ８）。
【手続補正１３】
【補正対象書類名】明細書
【補正対象項目名】００５０
【補正方法】変更
【補正の内容】
【００５０】
なお、上記ステップＳ９の判定結果がＮＧ、すなわちバッファメモリ２３にダウンロードしたメモリイメージが上記Ｃ−ＭＩＣのメモリイメージと比較して一致しない場合には、リトライ限界を超えたか否かを判定し（ステップＳ１２）、リトライ限界内であれば上記ステップＳ８に戻って、再度Ｃ−ＭＩＣのメモリイメージをドライブ内のバッファメモリ２３にダウンロードする。
【手続補正１４】
【補正対象書類名】明細書
【補正対象項目名】００５１
【補正方法】変更
【補正の内容】
【００５１】
さらに、上記ステップＳ６の判定結果がＹＥＳ、すなわちＲ−ＭＩＣのメモリイメージのダウンロードのリトライ限界を超えた場合、上記ステップＳ７の判定結果がＮＧ、すなわち上記Ｃ−ＭＩＣヘッダが読めない場合、あるいは、上記ステップＳ１２の判定結果がＹＥＳ、すなわちＣ−ＭＩＣのメモリイメージのダウンロードのリトライ限界を超えた場合には、非ＭＩＣモードを設定して（ステップＳ１３）、非ＭＩＣモードでテープローディングを行う（ステップＳ１４）。
【手続補正１５】
【補正対象書類名】明細書
【補正対象項目名】００５３
【補正方法】変更
【補正の内容】
【００５３】
また、上記ステップＳ２１の判定結果がＯＫ、すなわちＲ−ＭＩＣモード又はＣ−ＭＩＣモードであった場合には、ターゲットのＲ−ＭＩＣ又はＣ−ＭＩＣ上のアドレスをリンケージデータに基づいてサーチする（ステップＳ２４）。
【手続補正１６】
【補正対象書類名】明細書
【補正対象項目名】００５４
【補正方法】変更
【補正の内容】
【００５４】
次に、得られたターゲットのＲ−ＭＩＣ又はＣ−ＭＩＣ上のアドレスをドライブ内のバッファメモリ２３にダウンロードしたメモリイメージのアドレスに変換する（ステップＳ２５）。
【手続補正１７】
【補正対象書類名】明細書
【補正対象項目名】００５５
【補正方法】変更
【補正の内容】
【００５５】
そして、上記バッファメモリ２３にダウンロードしたメモリイメージからターゲットデータを読み込み（ステップＳ２６）、ターゲットデータを返して（ステップＳ２７）、読み出し処理を終了する。
【手続補正１８】
【補正対象書類名】明細書
【補正対象項目名】００５６
【補正方法】変更
【補正の内容】
【００５６】
また、上記システムコントローラ１５は、ＭＩＣライトコマンドを受信すると、図１４のフローチャートに示すように、先ず、Ｒ−ＭＩＣモード又はＣ−ＭＩＣモードであるか否かをチェックし（ステップＳ３１）、ＮＧすなわちＲ−ＭＩＣモード又はＣ−ＭＩＣモードでない場合にはエラー処理を行い（ステップＳ３２）、エラーを返して（ステップＳ３３）、書き込み処理を終了する。
【手続補正１９】
【補正対象書類名】明細書
【補正対象項目名】００５７
【補正方法】変更
【補正の内容】
【００５７】
また、上記ステップＳ３１の判定結果がＯＫ、すなわちＲ−ＭＩＣモード又はＣ−ＭＩＣモードであった場合には、図１５のフローチャートに示す書き込み手順に従ってターゲットのＲ−ＭＩＣ又はＣ−ＭＩＣにターゲットデータを書き込む（ステップＳ３４）。
【手続補正２０】
【補正対象書類名】明細書
【補正対象項目名】００５８
【補正方法】変更
【補正の内容】
【００５８】
次に、ターゲットデータの書き込みが正常に行われたか否かを判定し（ステップＳ３５）、ＮＧの場合には、リトライ限界内であるか否かを判定する（ステップＳ３６）。このステップＳ３６での判定結果がＹＥＳ、すなわちリトライ限界内であれば上記ステップＳ３４に戻って、再度ターゲットデータの書き込みを行う。またこのステップＳ３６での判定結果がＮＯ、すなわちリトライ限界を超えた場合には、上記ステップＳ３２に移ってエラー処理を行う。
【手続補正２１】
【補正対象書類名】明細書
【補正対象項目名】００５９
【補正方法】変更
【補正の内容】
【００５９】
さらに、上記ステップＳ３５での判定結果がＯＫ、すなわちターゲットデータの書き込みが正常に行われた場合には、書き込み時に得られたターゲットのＲ−ＭＩＣ又はＣ−ＭＩＣ上のアドレスをドライブ内のバッファメモリ２３にダウンロードしたメモリイメージのアドレスに変換する（ステップＳ３７）。
【手続補正２２】
【補正対象書類名】明細書
【補正対象項目名】００６２
【補正方法】変更
【補正の内容】
【００６２】
すなわち上記ステップＳ３４で実行されるＭＩＣへのターゲットデータの書き込み処理では、まずテープに対する書き込み、読み出し又はサーチの実行中であるか否かを判定する（ステップＳ４１）。このステップＳ４１での判定結果がＹＥＳ、すなわちテープに対する書き込み、読み出し又はサーチの実行中である場合には、リポジション動作に入ったか否かを判定し（ステップＳ４２）、その判定結果がＮＯ、すなわちリポジション動作に入っていない場合には、上記ステップＳ４１及びステップＳ４２の判定処理を繰り返し、テープに対する書き込み、読み出し又はサーチの実行中でなくなるか、あるいは、リポジション動作に入るまで待機する。
【手続補正２３】
【補正対象書類名】明細書
【補正対象項目名】００６３
【補正方法】変更
【補正の内容】
【００６３】
そして、上記ステップＳ４１での判定結果がＮＯ、すなわちテープに対する書き込み、読み出し又はサーチの実行中でなくなった場合、又は、上記ステップＳ４２の判定結果がＹＥＳ、すなわちリポジション動作に入った場合に、ターゲットのＲ−ＭＩＣ又はＣ−ＭＩＣ上のアドレスをサーチし（ステップＳ４３）、Ｒ−ＭＩＣ又はＣ−ＭＩＣにターゲットデータを書き込む（ステップＳ４４）。
【手続補正２４】
【補正対象書類名】明細書
【補正対象項目名】００６５
【補正方法】変更
【補正の内容】
【００６５】
また、上記ステップＳ４５での判定結果がＯＫ、すなわちターゲットデータの書き込みが正常に行われた場合には、Ｒ−ＭＩＣ又はＣ−ＭＩＣから直接ターゲットデータを読み込み（ステップＳ４８）、読み込んだターゲットデータのパリティチェックを行う（ステップＳ４９）。そして、このステップＳ４９でのパリティチェックの結果がＮＧであった場合には、上記ステップＳ４６に移ってエラー処理を行い、また、上記パリティチェックの結果がＯＫであった場合には、ステータスＯＫを返して（ステップＳ３９）、ターゲットデータの書き込み処理を終了する。